【手続補正書】
【提出日】平成21年10月15日(2009.10.15)
【手続補正１】
【補正対象書類名】特許請求の範囲
【補正対象項目名】全文
【補正方法】変更
【補正の内容】
【特許請求の範囲】
【請求項１】
外部で接続可能な１つ以上の流れ部または内部で接続可能な１つ以上の流れ部を有する多目的流れモジュールであって、
各流れ部は１枚以上の流動プレート、１枚以上の障壁プレート、１枚以上のカバープレート、１枚以上の圧力プレート、端プレート、またはそれらの組み合わせを有し、
各流動プレートは流路を有し、該流路は、該流路の各端部に少なくとも１つの入口および少なくとも１つの出口を有し、該流動プレートの外側面と該流路との間に１つ以上の接続ポートが配置され、該流路は、屈曲部または湾曲部の形態である１つ以上の混合区間を有する、
多目的流れモジュール。
【請求項２】
前記接続ポートは、瞬間的にまたは制御しながら圧力を解放するための安全装置を備ええている、請求項１に記載の多目的流れモジュール。
【請求項３】
前記混合区間は、前記流路の前記屈曲部または前記湾曲部の隅部の形態である、請求項１または２に記載の多目的流れモジュール。
【請求項４】
前記流路は、栓流を形成するように構成または設計されている、請求項１から３のいずれか１項に記載の多目的流れモジュール。
【請求項５】
前記流路は、該流路の各リムの隣に配置されているかあるいは前記流動プレートの一方の側または該流動プレートの両側に該流路の外周に沿って配置されている複数の突出部を有する、請求項１から４のいずれか１項に記載の多目的流れモジュール。
【請求項６】
前記流動プレートと前記端プレートとの間にガスケットをさらに有し、
前記圧力プレートは、前記ガスケットの、前記流路と反対の側面上を覆うように配置されている、請求項１から５のいずれか１項に記載の多目的流れモジュール。
【請求項７】
前記ガスケットは、前記流路に対応する複数のインプリントまたは複数の圧縮領域を有する、請求項６に記載の多目的流れモジュール。
【請求項８】
前記ガスケットは、前記流動プレートを１枚または２枚の端プレート、１枚または２枚の障壁プレート、１枚または２枚のカバープレート、１枚または２枚の追加流動プレート、１枚または２枚の熱交換プレート、またはそれらの組み合わせに対して密閉または密封している、請求項６または７に記載の多目的流れモジュール。
【請求項９】
前記障壁プレートは、熱伝導性材料または断熱材料でできている、請求項１から８のいずれか１項に記載の多目的流れモジュール。
【請求項１０】
１つ以上の流れ部および１つ以上の熱交換部を有する、請求項１から９のいずれか１項に記載の多目的流れモジュール。
【請求項１１】
前記熱交換部は、前記流動プレートの前記流路の領域に対応する切断領域、複数の切断流路、複数の流路、複数の溝、または複数のくぼみを有する熱交換プレートを有する、請求項１０に記載の多目的流れモジュール。
【請求項１２】
前記熱交換プレートは、挿入され構造化されたパッケージ部材を備えた切断領域または複数の切断流路を有するか、あるいは、複数の翼、複数のフィンを備えた切断領域または複数の切断流路を有するか、あるいは、該挿入され構造化されたパッケージ部材と、該複数の翼、該複数のフィンを備えた該切断領域または該複数の切断流路との組み合わせを有する、請求項１１に記載の多目的流れモジュール。
【請求項１３】
前記熱交換部は、非流体熱伝達部材またはペルチェ素子である、請求項１１または１２に記載の多目的流れモジュール。
【請求項１４】
前記熱交換プレートは、切断領域、複数の切断流路、複数の流路、複数の溝、または複数のくぼみを有し、
該切断領域、該複数の切断流路、該複数の流路、該複数の溝、または該複数のくぼみは、前記熱交換プレートの対向する両側で入口チューブ、出口チューブ、または該入口チューブと該出口チューブとの両方に挿入されている、
請求項１１から１３のいずれか１項に記載の多目的流れモジュール。
【請求項１５】
前記入口チューブ、前記出口チューブ、または該入口チューブと該出口チューブとの両方は、挿入された複数のセンサ、挿入された複数の熱電素子、または挿入された該複数のセンサと挿入された該複数の熱電素子との両方を有する、請求項１４に記載の多目的流れモジュール。
【請求項１６】
１枚以上の前記障壁プレートは、少なくとも１枚の前記流動プレートの一方の平坦な側または両方の平坦な側にろう付け、溶接、またはその両方が行われるか、あるいは、
１枚以上の前記障壁プレートは、少なくとも１枚の前記熱交換プレートの一方の平坦な側または両方の平坦な側にろう付け、溶接、またはその両方が行われるか、あるいは、
１枚以上の前記障壁プレートは、少なくとも１枚の前記流動プレートと少なくとも１枚の前記熱交換プレートとの組み合わせの一方の平坦な側または両方の平坦な側にろう付け、溶接、またはその両方が行われる、
請求項１から１５のいずれか１項に記載の多目的流れモジュール。
【請求項１７】
前記流れ部、前記熱交換部は水平方向または鉛直方向に積み重ねられている、請求項１０から１６のいずれか１項に記載の多目的流れモジュール。
【請求項１８】
１つの入口および１つの出口を備えた流路を有する一体品として製造された流動プレート部と熱交換プレート部とを有する少なくとも１つの流れ部と、
前記流れ部の少なくとも１つの外側面に沿って配置され、前記流路と連通する１つ以上の接続ポートと、
前記流路を密封するガスケットおよびプレートと、
前記熱交換プレート部を密封する挿入要素およびプレートと、
を有する多目的流れモジュールであって、
前記流路は、屈曲部または湾曲部の形態である１つ以上の混合区間を有する、多目的流れモジュール。
【請求項１９】
前記混合区間は、前記流路の前記屈曲部または前記湾曲部の隅部の形態である、請求項１８に記載の多目的流れモジュール。
【請求項２０】
前記プレートは、１枚以上の障壁プレート、１枚以上のカバープレート、１枚以上の圧力プレート、１枚以上の端プレート、１枚以上の断熱プレート、またはそれらの組み合わせである、請求項１８または１９に記載の多目的流れモジュール。
【請求項２１】
前記接続ポートは、反応物質用の入口、追加的な流体用の入口、プロセス流体用の出口、後の段階で前記流路に送り込まれる中間生成物用の出口、試験サンプル用の出口、注入ポート、入口分散器であるか、あるいは、該接続ポートは、瞬間的にまたは制御しながら圧力を解放するための安全装置を備えているか、あるいは、該接続ポートは、センサユニットを備えているか、あるいは、該接続ポートは、熱電素子を備えているか、あるいは、該接続ポートは、塞がれているか、あるいは、それらの組み合わせである、請求項１８から２０のいずれか１項に記載の多目的流れモジュール。
【請求項２２】
少なくとも１つの前記接続ポートまたは少なくとも１つの前記入口ポートは、出口に１つ以上の穴を有する入口分散器である、請求項１８から２１のいずれか１項に記載の多目的流れモジュール。
【請求項２３】
前記穴は、前記入口分散器の前記出口に同心円状に形成されている、請求項２２に記載の多目的流れモジュール。
【請求項２４】
少なくとも１枚の前記プレートまたは少なくとも１つの前記ガスケットは膜である、請求項１８から２３のいずれか１項に記載の多目的流れモジュール。
【請求項２５】
ガス抜き装置が少なくとも１枚の前記流動プレートの出口に配置されている、請求項１８から２４のいずれか１項に記載の多目的流れモジュール。
【請求項２６】
請求項１から２５のいずれか１項に記載の多目的流れモジュールにおける抽出、反応、分離、混合、またはそれらの組み合わせの方法であって、
材料の第１の流れを１つ以上の入口手段を通して流路に導入するステップと、
前記材料の前記第１の流れを前記流路を通して移動させるステップと、
任意に、１つ以上の追加材料を１つ以上の他の接続ポートを通して前記材料の前記第１の流れに導入するステップと、
パルスモードでまたは連続的に動作し、１つ以上のセンサユニットからの変調信号によって制御される入口分散器、入口弁、出口弁、またはそれらの組み合わせを用いて前記材料の流れ、流量、滞留時間、またはそれらの組み合わせを調節するステップと、
１つ以上の熱電素子を用いて温度を調節するステップと、
１枚以上の熱交換プレートからの熱伝達を制御するステップと、
を有する、
方法。
【請求項２７】
請求項１から２５のいずれか１項に記載の多目的流れモジュールにおける抽出、反応、分離、混合、またはそれらの組み合わせの方法であって、
材料の第１の流れを１つ以上の入口手段を通して流路に導入するステップと、
前記材料の前記第１の流れを前記流路を通して移動させるステップと、
任意に、１つ以上の追加材料を１つ以上の他の接続ポートを通して前記材料の前記第１の流れに導入するステップと、
前記流路内に前記材料の栓流を形成するステップと、
を有する、
方法。
【請求項２８】
前記流路内の前記材料の前記流れは、前記多目的流れモジュールを通る該材料の前記栓流を形成するように調節される、請求項２６または２７に記載の方法。
【請求項２９】
混合区間を用いて前記材料の前記栓流を形成するステップも有する、請求項２６または２７に記載の方法。
【請求項３０】
前記流路内の前記材料の前記流れは、接続ポートに接続されたＩＲ分光計、ＵＶ分光計、質量分光計、ガスクロマトグラフィー、またはそれらの組み合わせを用いて識別される、請求項２６または２７に記載の方法。
【請求項３１】
１つ以上のセンサユニット、ＩＲ分光計、ＵＶ分光計、質量分光計、ガスクロマトグラフィー、またはそれらの組み合わせは、着信情報を処理し、かつ流れ調節ユニット、温度調節ユニットなど、またはそれらの組み合わせを制御する信号を送信するようにプログラムされたコンピュータまたはデータ処理ユニットに信号を送信する、請求項２６から３０のいずれか１項に記載の方法。
【請求項３２】
反応器、抽出器、または混合器として使用できる、請求項１から２５のいずれか１項に記載の多目的流れモジュールの使用。
【請求項３３】
実験装置、パイロットプラント装置、またはフルスケール装置として使用できる、請求項１から２５のいずれか１項に記載の多目的流れモジュールの使用。
【請求項３４】
化学製品を製造するための、請求項１から２５のいずれか１項に記載の多目的流れモジュールの使用。
【請求項３５】
薬剤用の化学製品を製造するための、請求項１から２５のいずれか１項に記載の多目的流れモジュールの使用。
【請求項３６】
精製化学製品を製造するための、請求項１から２５のいずれか１項に記載の多目的流れモジュールの使用。
【手続補正２】
【補正対象書類名】明細書
【補正対象項目名】００６９
【補正方法】変更
【補正の内容】
【００６９】
流動プレート１と端プレート２４との間にガスケット１２が配置され、多目的モジュールを密閉または密封している。端プレート２４は、障壁プレートまたは任意の他の適切なプレートと交換することができる。一実施形態によれば（図１１参照）、ガスケット１２と端プレート２４との間のガスケットの、流路と反対の側面上に向かい合うように圧力プレート２５を配置することができる。流路に相当する複数のインプリントまたは複数の圧縮領域２６を有するガスケットの部分によって、準備された領域を有さず、従って、事前に意図されたものではないガスケットの輪郭２９を有する断面２８より一様な断面２７が得られる。圧力プレート２５（図１２参照）は、不図示の流動プレート１の流路２のパターンの鏡像であるパターン３０を有してよい。